(57)【要約】      （修正有）【課題】巣箱に取り付ける害敵昆虫防御器で、一個の装置でさまざまな害敵昆虫の巣箱への侵入を防ぐ。【解決手段】ミツバチが持っている学習能力と伝達能力を利用して段階的に難度の高い迂回路を形成しても、訓練を重ねることで大きなストレスを営巣群ミツバチに与えることなく難度の高い迂回路を自由に往来させる事と、たまに侵入してくる害敵昆虫は意図的に迂回して目的地へ進む能力は低いので迂回路を設けて巣箱巣門への侵入を抑制する。害敵昆虫は、一方通行自動閉鎖扉（入ったら戻れない）と、昆虫の大きさ（間口制限）と、押進力（一方通行自動閉鎖扉の重さ）と、臭覚（巣の甘い匂いに寄っていく習性）と、明るい方向へ進む習性と、目的地の逆方向へは迂回して進む能力は低い、透明板を物体として認識しにくい習性と、を応用して侵入の抑制、又は捕獲する。【選択図】図８
2010142154.tif 000002
【特許請求の範囲】
【請求項１】
ミツバチ巣箱の巣門に取り付けて、害敵昆虫の巣門からの侵入を抑制、または捕獲する害敵昆虫侵入防止器であって、営巣群ミツバチ以下の大きさの昆虫は往来できる巣門と、該巣門の上部に刻設した大型害敵昆虫も進入出来る凹状の切り欠と、前記営巣群ミツバチよりも大型害敵昆虫は進入したら戻れない第１の一方通行自動閉鎖扉を具備する昆虫分別室と、該昆虫分別室に接続されて前記昆虫分別室から前記大型昆虫は侵入可能で、前記営巣群ミツバチは侵入不可能な第２の一方通行自動閉鎖扉を具備する大型害敵昆虫捕獲室と、前記昆虫分別室に連通する通路に前記営巣群ミツバチは前記昆虫分別室から進入不可能で、営巣群ミツバチよりも小さな害敵昆虫は侵入できるが侵入したら戻れない第３の一方通行自動閉鎖扉を取付けた小型害敵昆虫捕獲室と、前記昆虫分別室を迂回路難度調節板を介して区画され上記ミツバチ巣箱の巣門に連通する迂回路難度調整室とから構成されることを特徴とする害敵昆虫侵入防止器。
【請求項２】
上記迂回路難度調節板を挿脱可能としたことを特徴する請求項1記載の害敵昆虫侵入防止器。
【請求項３】
上記小型害敵昆虫捕獲室を挿脱可能としたことを特徴とする請求項1及びまたは請求項2に記載の害敵昆虫侵入防止器。
【発明の詳細な説明】
【技術分野】
【０００１】
本発明は、ミツバチ巣箱の巣門に取り付け、害敵昆虫の巣門からの侵入を抑制、または捕獲する害敵昆虫侵入防止器に関する。
【背景技術】
【０００２】
従来の害敵昆虫侵入防止器には、スズメ蜂捕獲器とか（例えば、特許文献1、非特許文献1参照）、他群ミツバチの盗蜂防止器などがあった（例えば、非特許文献2参照）。
【特許文献１】公開特許公報2005-160339
【非特許文献１】蜂研養蜂カタログ  2008/2009  since1957, P.12
【非特許文献２】日本ミツバチの飼育法と生態、玉川大学出版部、P.51
【発明の開示】
【発明が解決しようとする課題】
【０００３】
以上に述べた従来の害敵昆虫侵入防止器では、害敵昆虫の大きさが営巣群ミツバチよりも大きい害敵昆虫のみの侵入抑制、又は捕獲防御であった。
【０００４】
また、１個の装置であらゆる大きさの害敵昆虫の侵入を抑制、または捕獲するものは見当たらなかった。
【０００５】
更に、スズメ蜂は捕殺器を付けても確実に捕獲できず自分の巣へ戻ることで仲間に情報を伝え激しい襲来が起こり、営巣群が衰退し抵抗力が無くなりツズリ蛾の巣房への産卵を許していた。
【０００６】
加えて、夜行性のツズリ蛾は夜間自由に巣門より侵入し巣箱底板に産卵していた。
【０００７】
本発明は、このような従来装置が有していた問題を解決しようとするものであり、大型害敵昆虫（オオスズメ蜂、小型スズメ蜂、黄色スズメ蜂、面型スズメなど）、小型害敵昆虫（ツヅリ蛾など）、同型害敵昆虫（他営巣群ミツバチなど）の巣箱巣門からの侵入を1個の装置で抑制、又は捕獲する事を目的とするものである。
【課題を解決するための手段】
【０００８】
そして、本発明１は、ミツバチ巣箱の巣門に取り付けて、害敵昆虫の巣門からの侵入を抑制、または捕獲する害敵昆虫侵入防止器であって、営巣群ミツバチ以下の大きさの昆虫は往来できる巣門と、該巣門の上部に刻設した大型害敵昆虫も進入出来る凹状の切り欠と、前記営巣群ミツバチよりも大型害敵昆虫は進入したら戻れない第１の一方通行自動閉鎖扉を具備する昆虫分別室と、該昆虫分別室に接続されて前記昆虫分別室から前記大型昆虫は侵入可能で、前記営巣群ミツバチは侵入不可能な第２の一方通行自動閉鎖扉を具備する大型害敵昆虫捕獲室と、前記昆虫分別室に連通する通路に前記営巣群ミツバチは前記昆虫分別室から進入不可能で、営巣群ミツバチよりも小さな害敵昆虫は侵入できるが侵入したら戻れない第３の一方通行自動閉鎖扉を取付けた小型害敵昆虫捕獲室と、前記昆虫分別室を迂回路難度調節板を介して区画され上記ミツバチ巣箱の巣門に連通する迂回路難度調整室とから構成されることを特徴する害敵昆虫侵入防止器であり、本発明2では、  上記迂回路難度調節板を挿脱可能とした。更に、本発明３では、上記小型害敵昆虫捕獲室を挿脱可能としたことを特徴とする害敵昆虫侵入防止器である。上記構成により、本装置前部中央下方に設けられた、営巣群ミツバチ、同型害敵昆虫、小型害敵昆虫は自由に往来できる通路に上記大型害敵昆虫だけが侵入したら後戻りできない、昆虫の大きさで往来を制御する第１の一方通行自動閉鎖扉を昆虫分別入口壁の入口内側に自在に開閉するように取付金具によって掛架した。
【０００９】
上記分別室の上面中天井には上記大型害敵昆虫だけが押し上げて侵入でき、侵入したら自動的に閉まり、さらにその上向方本装置上蓋に灯を取り入れる採光板を有し、押進力で通行を制御する透明で上記大型害敵昆虫だけが持ち上げ可能に重量を調整した第2の一方通行自動閉鎖扉を入り口内側に配備する上記大型害敵昆虫捕獲室を上記昆虫分別室の上部と側面に配備し、営巣群ミツバチは進入不可に調整できる間口高調整板を入り口外側に配備し、入り口内側には小型害敵昆虫が押し開けて侵入できるが、侵入したら自動的に扉が閉まり後戻りできない第３の一方通行自動閉鎖扉を配備する上記小型害敵昆虫捕獲室を上記分別室の巣箱巣門側に設けた。
【００１０】
上記昆虫分別室の上記大型害敵昆虫捕獲室を配備した他方側面壁先端には、上記大型害敵昆虫は通過できない間口の通路Ｃを設け、上記通路Ｃの先につながる迂回路難度調整室を設けた。該迂回路難度調整室から巣箱巣門側に小型害敵昆虫捕獲室入口壁兼迂回路室後部壁を設け巣箱巣門へつながる通路Ａを設けて、巣箱巣門と本装置巣門との通路を形成した。
【００１１】
上記迂回路難度調整室内には挿脱可能な迂回路調整板を装備し、上記迂回路調整板の中心から離れた所に通路Ｂを開口することで、左右入れ替えて装着すると上記通路Ｃと上記通路Ｂの距離が変化するようにしたものである。
【００１２】
上記小型害敵昆虫捕獲室入口壁兼迂回路室後部壁は本装置本体側板の内側左右に設けられた挿入溝に挿脱可能として上記迂回路調整室を形成し、上記迂回路調整板と組み合わせて、迂回路難度を調節するものである。
【００１３】
また、一気に難度の高い迂回路を形成した本装置を巣箱に取り付けると、営巣群ミツバチの中には大きなストレスを受け、消滅群になった群もあった、そこでミツバチの学習能力と伝達能力を利用して段階的に上記営巣群ミツバチの通路への慣れ具合を見ながら上記小型害敵昆虫捕獲室入口壁兼迂回路室後部壁と上記迂回路調整板を取り付けていき迂回難度を高めていくことで、上記営巣群ミツバチに大きなストレスを与えることなく、難度の高い迂回路を形成でき、難度の高い迂回路に慣れている営巣群ミツバチは迂回難度を高めた上記本装置の通行が支障なくできるが、たまたま侵入してくる小型害敵昆虫、同型害敵昆虫は難度の高い迂回路を自分の意志で迂回して侵入することは難しく、上記小型害敵昆虫、上記同型害敵昆虫、の本装置巣門から巣箱への侵入を抑制することができた。
【００１４】
また、巣箱巣門の前方に前記営巣群ミツバチの巣箱前空間を設け、前記巣箱巣門の正面に前記小型害敵昆虫捕獲室の後部に小型害敵昆虫捕獲室後壁を設け、前記小型害敵昆虫捕獲室後壁には匂い取り入れようの通気口を設けた。前記小型害敵昆虫捕獲室へは前記通気口を通して匂いが流れ込み前記小型害敵昆虫が通路Ｅを宛も上記巣箱巣門へつながる通路とみなすようにした。
【発明の効果】
【００１５】
上述したように、本発明の害敵昆虫侵入防止器は、一個の装置でさまざまな大きさの害敵昆虫の巣箱巣門からの侵入を抑制、又は捕獲することができた。
【００１６】
また、致命的被害をもたらす大型害敵昆虫の中の、大スズメ蜂、小型スズメ蜂は本装置内に侵入すると一方通行自動閉鎖扉により確実に捕獲され、自分の巣へ戻れず情報を仲間へ伝達できず、近くに上記大スズメ蜂、上記小型スズメ蜂の営巣群があっても激しい襲来はおこらなかった。
【００１７】
更に、小型害敵昆虫の中で致命的被害をもたらすツズリ蛾は狭い隙間からも巣の匂いを嗅ぎつけて侵入してくるので、本装置巣門と巣箱巣門との線上に、部屋の入り口の内側壁に上記小型害敵昆虫でも押し開け可能に取り付け金具で掛架された一方通行自動閉鎖扉Ｃと部屋の入り口の外側壁に営巣群ミツバチは通行不可に調整した間口高調整板を供えて、上記昆虫分別室からつながる通路Ｅを有し、部屋の後壁には匂い取り込み用の通気口孔を有し、上記通気口孔には目の細かい上記小型害敵昆虫が通行不可な金網を張った、小型害敵捕獲室を設けたのでツズリ蛾を捕獲できた。
【００１８】
本発明は、ミツバチが持っている学習能力と伝達能力を利用して段階的に難度の高い迂回路を形成しても大きなストレスを営巣群ミツバチに与えることなく自由に往来させる事と、害敵昆虫は意図的に迂回して目的地へ進む能力は低いので迂回路を設けて巣箱巣門への侵入を抑制するようにした。
【００１９】
本発明では、害敵昆虫が、一方通行自動閉鎖扉（入ったら戻れない）と、昆虫の大きさ（間口制限）と、押進力（扉の重さ）と、臭覚（巣の甘い匂いに寄っていく習性）と、明るい方向へ進む習性と、目的地の逆方向へは迂回して進む能力は低い、透明板を物体として認識しにくい習性と、を応用して侵入の抑制、又は捕獲することを可能にした。
【発明を実施するための最良の形態】
【００２０】
図１から図９を参照して以下本発明の実施形態例に基づいて構成を説明する。
【００２１】
図１は本装置上蓋と本装置内部斜視図である。
【実施例】
【００２２】
図１(a)において、1は本装置上蓋で、前記本装置上蓋1には採光孔3が開いており、彩光孔3の上には、図１(b)と、図２に図示する如く大型害敵昆虫通行孔7に灯りを取り入れる為の透明な彩光板2が固着されている。加えて、図１(a)に図示の上蓋取り付け穴4を介して上蓋1を図７に図示の本装置本体40に取り付けた。
【００２３】
上記本装置本体40の本装置前部21中央部下方には、各種昆虫が、それぞれ図９に破線と矢印で図示する営巣群ミツバチの通行順路４１、同型害敵昆虫の通行順路48、小型害敵昆虫の通行順路49、のみが自由に往来できる本装置巣門20を設け、上記本装置巣門20の上部内側の昆虫分別入口壁10に大型害敵昆虫が通れる間口高の大型害敵昆虫侵入口24を設け、上記大型害敵昆虫侵入口24を一方通行自動閉鎖扉（Ｂ）25で閉じた状態に昆虫分別室12側の上記昆虫分別入口壁10に取付金具（Ｂ）26で自在に上記昆虫分別室12側へ開閉するように、取付穴（Ｂ）27を上記一方通行自動閉鎖扉（Ｂ）25の上部左右に上記取付金具（Ｂ）26よりも直径を大きく開けて掛架した。
【００２４】
図２に図示する上記昆虫分別室12には、上方に中天井46を設け、上記中天井46上部と上記昆虫分別室12の側面に大型害敵昆虫捕獲室5を設けた。上記中天井46に上記大型害敵昆虫通行孔7を上記彩光孔3から光が入ってくる位置に設け、上記大型害敵昆虫通行孔7の上記大型害敵昆虫捕獲室5側に、営巣群ミツバチの押進力では開けることはできないが、上記大型害敵昆虫の押進力では押し開け可能な質量を持ち、光が通る一方通行自動閉鎖扉（Ａ）6を押蓋式に取付金具（Ａ）8で上方向に自在に開閉するように取付穴（Ｂ）42を上記取付金具（Ａ）8よりも直径を大きく開けて取り付けた。
【００２５】
更に、図８に図示する上記昆虫分別室12の巣箱巣門39(図７に図示)側に、本装置側板23内側に設けられたに挿入溝45(図１(b）に図示)に挿脱可能な上記小型害敵昆虫捕獲室入り口壁兼迂回路室後部壁14(図８に図示)を組み込み、上記本装置巣門20と上記巣箱巣門39の線上に、組み込まれた通路（Ｅ）30(図4に図示)を設け、営巣群ミツバチよりも小さい小型害敵昆虫のみが侵入可能に調整板固定ネジ28(図5に図示)で固定した間口高さ調整板29(図4に図示)を小型害敵昆虫捕獲室13(図5に図示)の入り口壁である上記小型害敵昆虫捕獲室入り口壁兼迂回路室後部14の上記通路（Ｅ）30の外側に取り付け、上記記載通路（Ｅ）30の内側を通常閉鎖した状態に保ち上記小型害敵昆虫が押し開け可能な一方通行自動閉鎖扉（Ｃ）31を取付金具（Ｃ）32によって上記小型害敵昆虫捕獲室13側に自在に開閉するように取付穴（Ｃ）43を上記取付金具（Ｃ）32よりも直径を大きく開けて掛架した。
【００２６】
図８に図示する如く上記昆虫分別室12の上記大型害敵昆虫捕獲室5の他方側面である大型害敵昆虫侵入防止壁47の先端部は、上記昆虫分別入口壁10の他方壁である上記小型害敵昆虫捕獲室入り口壁兼迂回路室後部壁14との接合部に上記大型害敵昆虫は通行不可の間口幅になる通路（Ｃ）18を設けた。
【００２７】
巣箱取付部35を巣箱38に取り付けたとき、上記小型害敵昆虫捕獲室（13）の後壁にあたる小型害敵昆虫捕獲室後壁36と上記巣箱巣門39との間に営巣群ミツバチの活動の妨げにならない巣箱前空間34を設け、上記小型害敵昆虫捕獲室後壁36に上記巣箱38内の匂いが流入する通気口33を設け、上記小型害敵昆虫49が通過できない網目の金網37を上記記載通気口33に取り付けた。
【００２８】
上記昆虫分別室12の側面上記大型害敵昆虫室5を設けた他方側面に、上記通路（Ｃ）18から通ずる迂回路難度調節室44を設け、上記迂回路難度調節室44内に上記小型害敵昆虫捕獲室入り口壁兼迂回路室後部壁14と密着して接する迂回路難度調整板16を設け、上記本装置本体40から挿脱可能な板とする、上記迂回路難度調整板16上の中心から離れた位置に営巣群ミツバチが通る通路（Ｂ）17を設け、上記迂回路難度調整板16を回転して装着することで上記通路（Ｂ）17の位置が変化するようにした。
【００２９】
上記迂回路難度調整室44からは、上記小型害敵昆虫捕獲室入り口壁兼迂回路室後部壁14の下方に通路（Ａ）15を設け、上記巣箱前空間34を通って上記巣箱巣門39に通ずる通路にした。
【００３０】
本実施例によれば、さまざまな大きさの害敵昆虫の侵入を抑制又は捕獲できた。
【００３１】
本実施例によれば、スズメ蜂の激しい襲来を防止できた。
【００３２】
本実施例によれば、営巣群ミツバチに大きなストレスをかけることなく難度の高い迂回路を形成でき、営巣群ミツバチだけが自由に通行可能な通路を作ることができた。
なお、図示は省略するが、本発明に係る害敵昆虫侵入防止器の巣門の入口側に、営巣群ミツバチが飛び込み可能な凹状の切り欠を刻設した巣門を追加すると、帰巣ミツバチが巣門の入口部に一旦止まることなく従来の巣門に飛び込むことが可能になり、黄色スズメ蜂に捕食されにくくなった。
【産業上の利用可能性】
【００３３】
本発明によれば、本装置を利用することで営巣群ミツバチへの害敵からの被害が減少し、清潔で落ち着きのある安定した営巣が確保でき、消滅群の削減も計れるようになった。
【図面の簡単な説明】
【００３４】
【図１】本発明の実施形態を示す本装置上蓋を取り外した上蓋と本装置内部斜視である。
【図２】図８のＡ−Ａ矢視の断面図である。
【図３】昆虫分別室入り口内側斜視図である。
【図４】小型害敵昆虫捕獲室入り口断面図である。
【図５】小型害敵昆虫捕獲室入り口壁兼迂回路室後部壁斜視図である。
【図６】迂回路難度調節板斜視図である。
【図７】巣箱に本装置を取り付けた斜視図である。
【図８】図1に（図5）（図6）を組み込んだ斜視図である。
【図９】本装置内部各昆虫の行動通行順路を示す図である。
【符号の説明】
【００３５】
1本装置上蓋
2彩光板
3彩光孔
4上蓋取付穴
5大型害敵昆虫捕獲室
6一方通行自動閉鎖扉Ａ
7大型害敵昆虫通行孔
8取付金具Ａ
10昆虫分別入口壁
12昆虫分別室
13小型害敵昆虫捕獲室
14小型害敵昆虫捕獲室入口壁兼迂回路室後部壁
15通路Ａ
16迂回路難度調節板
17通路Ｂ
18通路Ｃ
19分別室側壁
20本装置巣門
21本装置前部
22本装置底板
23本装置側板
24大型害敵昆虫侵入口
25一方通行自動閉鎖扉Ｂ
26取付金具Ｂ
27取付穴Ｂ
28調節板固定ネジ
29間口高さ調節板
30通路Ｅ
31一方通行自動閉鎖扉Ｃ
32取付金具Ｃ
33通気口
34巣箱前空間
35巣箱取付部
36小型害敵昆虫捕獲室後壁
37金網
38巣箱
39巣箱巣門
40本装置本体
41営巣群ミツバチの通行順路
42取付穴Ｂ
43取付穴Ｃ
44迂回路難度調節室
45挿入溝
46中天井
47大型害敵昆虫侵入防止壁
48同型害敵昆虫の通行順路
49小型害敵昆虫の通行順路
50大型害敵昆虫の通行順路
【図１】
2010142154.tif 000003
【図２】
2010142154.tif 000004
【図３】
2010142154.tif 000005
【図４】
2010142154.tif 000006
【図５】
2010142154.tif 000007
【図６】
2010142154.tif 000008
【図７】
2010142154.tif 000009
【図８】
2010142154.tif 000010
【図９】
2010142154.tif 000011
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
ミツバチ巣箱の巣門に取り付けて、害敵昆虫の巣門からの侵入を抑制、または害敵昆虫を捕獲する害敵昆虫侵入防止器であって、営巣群ミツバチ以下の大きさの昆虫は往来できる巣門と、該巣門の上部に刻設した大型害敵昆虫も進入出来る凹状の切り欠と、前記営巣群ミツバチよりも大型害敵昆虫は進入したら戻れない第１の一方通行自動閉鎖扉を具備する昆虫分別室と、該昆虫分別室に接続されて前記昆虫分別室から前記大型昆虫は侵入可能で、前記営巣群ミツバチは侵入不可能な第２の一方通行自動閉鎖扉を具備する大型害敵昆虫捕獲室と、前記昆虫分別室に連通する通路に前記営巣群ミツバチは前記昆虫分別室から進入不可能で、営巣群ミツバチよりも小さな害敵昆虫は侵入できるが侵入したら戻れな第３の一方通行自動閉鎖扉を取付けた小型害敵昆虫捕獲室と、前記昆虫分別室を迂回路難度調節板を介して区画され上記ミツバチ巣箱の巣門に連通する迂回路難度調整室とから構成されることを特徴とする害敵昆虫侵入防止器。
【請求項２】
上記迂回路難度調節板を挿脱可能としたことを特徴する請求項1記載の害敵昆虫侵入防止器。
【請求項３】
上記小型害敵昆虫捕獲室を挿脱可能としたことを特徴とする請求項1または請求項2に記載の害敵昆虫侵入防止器。